(57)【要約】【課題】信号線の数が奇数の場合であっても消費電流を低減させることができると共に、側端部の表示画質が低下しないドット反転駆動法を適用した電気光学表示装置を提供すること。【解決手段】信号線ＤＬ１〜ＤＬ３の数が奇数である電気光学表示装置１０Ａにおいて、水平駆動回路１１はダミー出力端子Ｄａを備え、複数の信号線のいずれか一方の側端部にはダミー出力端子Ｄａに接続されたダミー配線ＤＭが形成され、信号線の奇数列ＤＬ１及びＤＬ３とそれぞれ隣接する偶数列及ＤＬ２及びダミー配線ＤＭとの間には互いにスイッチ素子ＳＷ１、ＳＷ２が接続され、水平駆動回路１１は、１水平走査期間に所定時間前記スイッチ素子ＳＷ１、ＳＷ２を作動させて、信号線の奇数列ＤＬ１及びＤＬ３とそれぞれ隣接する偶数列ＤＬ２及びダミー配線ＤＭとを短絡する。【選択図】図２
2011118196.tif 000002
【特許請求の範囲】
【請求項１】
マトリクス状に整列された複数の画素と、前記複数の画素のそれぞれに形成され、前記
画素を駆動するための薄膜トランジスターと、前記薄膜トランジスターを駆動するための
行方向に形成された複数の走査線及び列方向に形成された複数の信号線と、１水平走査期
間毎に、基準電圧を中心として前記隣接する信号線毎に極性が反転する映像信号を供給す
る水平駆動回路と、を備え、前記信号線の数が奇数である電気光学表示装置において、
前記水平駆動回路はダミー出力端子を備え、
前記複数の信号線のいずれか一方の側端部にはダミー配線が形成され、
前記ダミー出力端子は前記ダミー配線に電気的に接続され、
前記信号線の奇数列とそれぞれ隣接する偶数列及びダミー配線と該ダミー配線に隣接す
る前記信号線との間には互いスイッチ素子が接続され、
前記信号線の奇数列とそれぞれ隣接する偶数列及びダミー配線と該ダミー配線に隣接す
る前記信号線とを短絡することを特徴とする電気光学表示装置。
【請求項２】
前記水平駆動回路は、前記１水平走査期間に所定時間前記スイッチ素子を作動させるこ
とを特徴とする請求項１に記載の電気光学装置。
【請求項３】
前記水平駆動回路は、前記ダミー配線に常に隣接する信号線に印加される映像信号とは
反対極性で最大振幅の電圧を印加することを特徴とする請求項１に記載の電気光学表示装
置。
【請求項４】
前記水平駆動回路は、前記前記ダミー配線に常に隣接する信号線に印加される映像信号
と反対極性で同じ階調の電圧を印加することを特徴とする請求項１に記載の電気光学表示
装置。
【請求項５】
前記ダミー配線は、前記電気光学表示装置の前記信号線を除いた他の任意の配線との間
に絶縁層を介して対向配置されたダミー容量形成電極に接続されていることを特徴とする
請求項１に記載の電気光学表示装置。
【請求項６】
前記他の任意の配線は共通配線であり、前記基準電圧は前記共通配線に印加されている
電圧であることを特徴とする請求項５に記載の電気光学表示装置。
【請求項７】
前記電気光学表示装置は、液晶表示装置であることを特徴とする請求項１〜６の何れか
に記載の電気光学表示装置。
【発明の詳細な説明】
【技術分野】
【０００１】
本発明は、表示画素の駆動法としてドット反転駆動法を適用した電気光学表示装置に関
し、特に信号線の数が奇数の場合であっても消費電流を低減させることができると共に、
側端部の表示画質が低下しないドット反転駆動法を適用した電気光学表示装置に関する。
【背景技術】
【０００２】
電気光学表示装置としては、液晶表示装置、有機エレクトロルミネッセンス（ＥＬ）表
示装置、無機ＥＬ表示装置、プラズマ表示装置、発光ダイオード（ＬＥＤ）表示装置、電
界放出型表示装置等、種々のものが知られている。これらの電気光学表示装置は、いずれ
もマトリクス状に整列された画素ごとにそれぞれの画素を駆動するためのスイッチング素
子としての薄膜トランジスターを備え、これらの薄膜トランジスターを駆動するための走
査線及び信号線を有している。走査線及び信号線には、それぞれ駆動用ＩＣから所定の信
号が印加されて、所定の画像表示がなされる。ここで、電気光学表示装置としてのアクテ
ィブマトリクス型液晶表示装置の具体例を等価回路図である図７を用いて説明する。
【０００３】
アクティブマトリクス型の液晶表示装置５０は、アレイ基板（図示省略）側に水平駆動
回路５１、ゲート制御回路５３が形成されており、画素部には複数の画素（図７では８画
素分のみ示す）がマトリクス状に配置されている。水平駆動回路５１は映像信号Ｖsigを
サンプリングして、信号線ＤＬに出力する。ゲート制御回路５３は、各走査線ＧＬにゲー
ト信号Ｖgateを供給する。各画素の薄膜トランジスターＴＦＴは、ソース電極Ｓが対応す
る信号線ＤＬに接続され、ゲート電極Ｇが対応する走査線ＧＬに接続されてゲート信号Ｖ
gateによって薄膜トランジスターＴＦＴのオン・オフが制御され、更にドレイン電極Ｄが
画素電極５４に接続されている。
【０００４】
ゲート信号Ｖgateは、薄膜トランジスターＴＦＴをオン状態とする電位ＶＤＤ及びオフ
状態とする電圧ＶＢＢからなる。また、液晶表示装置５０が横電界方式のＦＦＳモードで
作動するものであれば、画素電極５４に対して電極間絶縁膜（図示省略）を挟んで共通電
極５５が平面視で重畳するように形成されており、液晶表示装置５０が縦電界方式で作動
するものであれば、アレイ基板に対向して配置されたカラーフィルター基板（図示省略）
に画素電極５４と対向するように共通電極５５が形成されている。なお、この共通電極５
５には共通電位ＶＣＯＭが印加されている。更に、アレイ基板とカラーフィルター基板と
の間には液晶が封入されている。このような構成の液晶表示装置５０では、画素電極５４
及び共通電極５５間に印加される電界によって液晶が駆動される。
【０００５】
一方、液晶分子は直流電圧が印加されると分極により劣化するため、通常、液晶表示装
置では液晶分子に交流電圧が印加されるように駆動されている。このような液晶分子に交
流電圧を印加する方法として、１水平走査期間反転駆動法及びドット反転駆動法が知られ
ている。１水平走査期間反転駆動法とは、各画素に印加する信号電圧の極性を共通電極に
印加される共通電位ＶＣＯＭを中心として１水平走査期間ごとに反転させる駆動法である
。また、ドット反転駆動法とは、各画素に印加する信号電圧の極性を行方向及び列方向に
おいて、共通電極に印加される共通電位ＶＣＯＭを中心として、１水平走査期間毎に隣接
する画素毎に異なる極性の電圧を印加する駆動法である。
【０００６】
すなわち、ドット反転駆動法では、共通電極に印加される共通電位ＶＣＯＭを一定に固
定し、隣接画素に保持される電圧極性が互いに逆極性となる。そのため、隣接する信号線
に印加される電圧極性は共通電位ＶＣＯＭに対して互いに正極性及び負極性となる。また
、１つの信号線に印加される電圧極性も、所定の水平走査期間毎に極性反転される。
【０００７】
ところで、液晶表示装置の１画素分の等価回路は、図８に示したとおり、信号線ＤＬに
は、薄膜トランジスターＴＦＴのソース電極Ｓとドレイン電極Ｄとの間の寄生容量Ｃｓｄ
と、ゲート電極Ｇとドレイン電極Ｄとの間の寄生容量Ｃｇｄと、薄膜トランジスターＴＦ
Ｔのドレイン電極Ｄを介して接続されている液晶の液晶容量ＣＬＣ及び補助容量Ｃｓとが
負荷容量として接続されている。なお、一般に、寄生容量Ｃｓｄ及びＣｇｄは液晶容量Ｃ
ＬＣ及び補助容量Ｃｓに比して十分に小さいので、以下では寄生容量Ｃｓｄ及びＣｇｄに
ついては無視して説明する。そして、信号線ＤＬに印加された映像信号Ｖsigは、それぞ
れ１水平走査期間毎に極性が反転することに伴う放電／充電を繰り返すが、この負荷容量
を駆動する電流も液晶表示装置全体の消費電流の一部となる。この負荷容量が大きくなる
と、液晶表示装置全体の消費電力が大きくなってしまう。
【０００８】
このようなドット反転駆動法を適用したことによる液晶表示装置の消費電力の増大を抑
制するため、下記特許文献１には、薄膜トランジスターＴＦＴのソース電極Ｓに映像信号
Ｖsigを印加する前に、一時的に隣接列同士（奇数列と偶数列）をショートさせて電荷再
配分を行うことによって中間電位に持ち上げた後、本来の映像信号Ｖsigを印加するよう
にした液晶表示装置の発明が開示されている。下記特許文献１に開示されているドット反
転駆動法を適用した液晶表示装置の駆動原理を図９及び図１０を用いて説明する。
【０００９】
なお、図９Ａはドット反転前の等価回路図であり、図９Ｂは電荷再配分時の等価回路図
であり、図９Ｃはドット反転後の等価回路図である。また、図１０Ａは電圧再配分がない
場合の信号線に最初のＨレベル信号が印加された際のゲート電極とソース電極との電圧波
形を示す図であり、図１０Ｂは同じく電圧再配分がある場合のゲート電極とソース電極と
の電圧波形を示す図である。また、信号線は偶数本存在するが、図９においては、４本の
信号線に代表させて説明することとし、更に、図７及び図８に示したものと同一の構成部
分には同一の参照符号を付与してその詳細な説明は省略する。
【００１０】
この液晶表示装置５０Ａにおいては、図９Ａに示すように、水平駆動回路５１の信号線
ＤＬ１〜ＤＬ４はそれぞれ出力バッファー回路５２によって駆動されており、この信号線
ＤＬ１〜ＤＬ４にはそれぞれ複数の画素駆動用の薄膜トランジスターＴＦＴのソース電極
Ｓが接続されている。また、奇数列の信号線ＤＬ１及びＤＬ３はそれぞれ隣接する偶数列
の信号線ＤＬ２及びＤＬ４とスイッチ素子ＳＷ１及びＳＷ２によって短絡されている。こ
のスイッチ素子ＳＷ１及びＳＷ２は、例えば薄膜トランジスターからなり、同一の制御信
号ＬＤによって同一のタイミングで駆動されるようになっている。
【００１１】
なお、スイッチ素子ＳＷ１及びＳＷ２が存在しない場合、信号線ＤＬに最初のＨレベル
信号が印加された際のゲート電極Ｇ及びソース電極Ｓの電圧波形は、図１０Ａに示したと
おりになる。このときのソース電極の電圧の立ち上がり部分及び立ち下がり部分の傾斜は
、負荷容量に対する充放電のために生じる。なお、液晶表示装置以外の電気光学表示装置
においては、液晶容量ＣＬＣ及び補助容量Ｃｓは存在しないが、薄膜トランジスターＴＦ
Ｔの寄生容量や電極間の容量の存在によって同様の現象が生じる。
【００１２】
図９Ａに示したように、最初の１水平走査期間の終了時には、例えば奇数列の信号線Ｄ
Ｌ１及びＤＬ３にはＨレベル（例えば＋１０Ｖ）の信号が印加され、偶数列の信号線ＤＬ
２及びＤＬ４にはＬレベル（例えば０Ｖ）の信号が印加されている。このとき制御信号Ｌ
ＤにはＬレベルの信号が印加されてスイッチ素子ＳＷ１及びＳＷ２共にオフ状態となって
いる。そのため、奇数列の液晶容量ＣＬＣ及び補助容量ＣｓはＨレベルの信号によって充
電されており、偶数列の液晶容量ＣＬＣ及び補助容量ＣｓはＬレベルの信号によって充電
されている。なお、この液晶容量ＣＬＣ及び補助容量Ｃｓに印加される信号のレベルは共
通配線５６に印加されている共通電位ＶＣＯＭを基準とした電位である。
【００１３】
そして、次の１水平走査期間に移行すると、図９Ｂに示したように、最初に制御信号Ｌ
Ｄが一定時間Ｈレベルに変化し、スイッチ素子ＳＷ１及びＳＷ２共にオン状態に変化する
。そうすると、奇数列の信号線ＤＬ１及びＤＬ３はそれぞれ隣接する偶数列の信号線ＤＬ
２及びＤＬ４と短絡することになるので、奇数列の液晶容量ＣＬＣ及び補助容量Ｃｓに充
電されていた電荷と偶数列の液晶容量ＣＬＣ及び補助容量Ｃｓに充電されていた電荷は互
いに中和され、両者共に中間レベル（例えば＋５Ｖ）に変化する。このスイッチ素子ＳＷ
１及びＳＷ２共にオン状態となっている時間は、１水平走査期間に比して十分短い時間で
ある。
【００１４】
その後、制御信号ＬＤがＬレベルに変化し、スイッチ素子ＳＷ１及びＳＷ２共にオフ状
態となり、ドット反転が行われて奇数列の信号線ＤＬ１及びＤＬ３にＬレベルの信号が印
加され、偶数列の信号線ＤＬ２及びＤＬ４にはＨレベルの信号が印加され、奇数列の液晶
容量ＣＬＣ及び補助容量ＣｓはＬレベルの信号によって充電されていき、偶数列の液晶容
量ＣＬＣ及び補助容量ＣｓはＨレベルの信号によって充電されていく。
【００１５】
この電荷再配分が行われた際の信号線に最初のＨレベル信号が印加された際のゲート電
極とソース電極との電圧波形は図１０Ｂに示したとおりになる。図１０Ｂの記載から明ら
かなように、ＬＤがＨ状態、すなわち、ＳＷ１及びＳＷ２がオン状態となっている間に移
動した電荷分（破線部分）は、外部から電流を供給せずに供給されたことになるため、こ
の分だけソース電極の電圧をＨレベルの電圧に高めるために必要な電荷量は少なくてすむ
ようになり、消費電力を低減することができるようになる。なお、以上は、液晶容量ＣＬ
Ｃ及び補助容量Ｃｓへの充電行程の場合を例にとって説明したが、放電行程の場合におい
ても同様に生じる。
【先行技術文献】
【特許文献】
【００１６】
【特許文献１】特開２０００−０３９８７０号公報
【発明の概要】
【発明が解決しようとする課題】
【００１７】
上記特許文献１に開示されている液晶表示装置によれば、ドット反転駆動法を適用した
場合に良好な消費電力低減効果を奏することができる。しかしながら、上記特許文献１に
開示されている液晶表示装置は、信号線の本数が偶数、すなわち画素列が偶数の場合には
良好な効果を奏することができるが、信号線の本数が奇数の場合には、一方側の端部の画
素列は、隣接する信号線が存在しないために電荷再配分を行うことができない。
【００１８】
近年の液晶表示装置の高解像度化に伴なって、負荷容量への充放電時間も短くなってき
ている。そのため、従来のような画素駆動用薄膜トランジスターのゲートオン時間に十分
な余裕がある場合には問題とならなかったソース電極の電圧の前段の立ち上がり波形の鈍
り具体も画像の表示品位に影響を与え始めてきている。したがって、電荷再配分が行われ
た画素列と電荷再配分が行われなかった画素列とでは、特に画素駆動用薄膜トランジスタ
ーのソース電極に印加される電圧に対する輝度変化が激しい中間階調表示に際して、輝度
差が発生することがある。このような現象は、画素駆動用薄膜トランジスターに接続され
ている負荷容量によって生じるものであるため、液晶表示装置の場合だけでなく、他の形
式の電気光学表示装置においても同様に生じる。
【００１９】
本発明は、このようなドット反転駆動法を適用した電気光学表示装置において、画素列
の数が奇数の場合であっても、全ての画素列に対して電荷再配分を行うことができるよう
にして、側端部においても良好な表示画質を達成することができる電気光学表示装置を提
供することを目的とする。
【課題を解決するための手段】
【００２０】
上記目的を達成するため、本発明の電気光学表示装置は、マトリクス状に整列された複
数の画素と、前記複数の画素のそれぞれに形成され、前記画素を駆動するための薄膜トラ
ンジスターと、前記薄膜トランジスターを駆動するための行方向に形成された複数の走査
線及び列方向に形成された複数の信号線と、１水平走査期間毎に、基準電圧を中心として
前記隣接する信号線毎に極性が反転する映像信号を供給する水平駆動回路と、を備え、前
記信号線の数が奇数である電気光学表示装置において、
前記水平駆動回路はダミー出力端子を備え、
前記複数の信号線のいずれか一方の側端部にはダミー配線が形成され、
前記ダミー出力端子は前記ダミー配線に電気的に接続され、
前記信号線の奇数列とそれぞれ隣接する偶数列及びダミー配線と該ダミー配線に隣接す
る前記信号線との間には互いスイッチ素子が接続され、
前記信号線の奇数列とそれぞれ隣接する偶数列及びダミー配線と該ダミー配線に隣接す
る前記信号線とを短絡することを特徴とする。
【００２１】
電気光学表示装置において、信号線の数が奇数であると、両端側の信号線の内の一方は
、ドット反転駆動法を適用した際に隣接する信号線と短絡して電荷再配分を行うことがで
きないので、両端側の画素列の一方は、隣接する画素列との間で輝度差が生じることがあ
る。本発明の電気光学表示装置においては、水平駆動回路のダミー出力端子に複数の信号
線の両端側の一方の外側に配置されたダミー配線と接続している。なお、このダミー配線
は、隣接する信号線と同じ長さとすることができるが、それよりも短くてもよい。
【００２２】
ダミー配線端子及びダミー配線は、水平駆動回路内の何れとも接続されていないフロー
ティング状態であっても、周囲回路からの静電誘導等によって不定電位で交流化を繰り返
している。しかも、このダミー配線は電気光学表示装置の他の配線との間に浮遊容量が形
成されているため、１種のコンデンサ−としても作用する。そのため、このダミー出力端
子に電気的に接続されているダミー配線は、ドット反転駆動法を適用した際に隣接する信
号線と短絡して電荷再配分を行うことができるようになる。したがって、本発明の電気光
学表示装置によれば、信号線の数が奇数であっても、ドット反転駆動法を適用した際に、
消費電力を抑制することができると共に、両端側においても隣接する画素列との間で輝度
差が生じることが抑制され、表示画質が良好な電気光学表示装置が得られる。
【００２３】
また、本発明の電気光学表示装置においては、前記水平駆動回路は、前記１水平走査期
間に所定時間前記スイッチ素子を作動させるものとすることが好ましい。
【００２４】
ドット反転駆動法では、１つの信号線に印加される電圧極性は、所定の水平走査期間毎
に極性反転される。本発明の電気光学装置によれば、１水平走査期間に所定時間前記スイ
ッチ素子を作動させるので、効率よく電荷再配分を行うことができるようになり、より消
費電力を抑制することができるようになる。
【００２５】
また、本発明の電気光学表示装置においては、前記水平駆動回路は、前記ダミー配線に
常に隣接する信号線に印加される映像信号とは反対極性で最大振幅の電圧を印加すること
ができる。
【００２６】
ダミー配線に何も信号電圧を印加しなくても、一応の電荷再配分効果を達成することが
できるが、ダミー配線に隣接する信号線との間の電荷量の差異が大きくなって電荷再配分
が有効に行えなくなることがある。しかしながら、本発明の電気光学表示装置によれば、
ダミー配線に常に隣接する信号線に印加される映像信号とは反対極性で最大振幅の電圧を
印加するようにしたため、他の隣接する信号線同士の電荷再配分効果とは相違することは
あるが、ダミー配線に何も信号電圧を印加しない場合よりも電荷再配分効果を達成でき、
良好な表示画質の電気光学表示装置が得られる。
【００２７】
また、本発明の電気光学表示装置においては、前記水平駆動回路は、前記ダミー配線に
常に隣接する信号線に印加される映像信号と反対極性で同じ階調の電圧を印加することが
できる。
【００２８】
本発明の電気光学表示装置によれば、ダミー配線に常に隣接する信号線に印加される映
像信号と反対極性で同じ階調の電圧を印加するようにしたため、他の隣接する信号線同士
の電荷再配分効果とは相違することはあるが、ダミー配線に何も信号電圧を印加しない場
合よりも電荷再配分効果を達成でき、良好な表示画質の電気光学表示装置が得られる。
【００２９】
また、本発明の電気光学表示装置においては、前記ダミー配線は、前記電気光学表示装
置の前記信号線を除いた他の任意の配線との間に絶縁層を介して対向配置されたダミー容
量形成電極に接続されているものとすることができる。
【００３０】
本発明の電気光学表示装置においては、信号線を除いた他の任意の配線とダミー配線と
の間にダミー容量を形成している。電気光学表示装置においては、画素駆動用の薄膜トラ
ンジスターに基く寄生容量等、各種の負荷容量が形成されているため、それぞれの信号線
を経て充電されている電荷量は多い。本発明のダミー配線は、画素駆動用の薄膜トランジ
スターが形成されていないが、ダミー容量によって、ダミー配線を経て充電されている電
荷量を他の信号線を経て充電されている電荷量を多くすることができる。そのため、本発
明の電気光学表示装置によれば、ダミー配線においても、他の隣接する信号線同士の電荷
再配分効果と実質的に同等の電荷再配分効果を達成でき、より良好な表示画質の電気光学
表示装置が得られる。
【００３１】
また、本発明の電気光学表示装置においては、前記他の任意の配線は共通配線であり、
前記基準電圧は前記共通配線に印加されている電圧であることが好ましい。
【００３２】
本発明の電気光学表示装置においては、極性が反転されている信号線に印加されている
信号の基準電圧は共通配線に印加されている電圧であり、しかも、ダミー容量の一方側の
電極が基準電位である共通配線となっている。そのため、本発明の電気光学表示装置によ
れば、ダミー配線がフローティング状態であっても、ダミー配線に隣接する信号線とダミ
ー配線との間には基準電圧に対して極性が反対で実質的に同じ電圧が生じるようになるの
で、端部においても良好な表示画質を達成することができるようになる。
【００３３】
また、本発明の電気光学表示装置は液晶表示装置であることが好ましい。
【００３４】
液晶表示装置は、薄膜トランジスターＴＦＴによって液晶容量及び補助容量という大き
な容量に対して駆動されているため、他の電気光学表示装置の場合よりも上記効果が顕著
に表れる。
【図面の簡単な説明】
【００３５】
【図１】第１実施形態の液晶表示装置の等価回路図である。
【図２】図２Ａは第１実施形態の液晶表示装置のドット反転前の等価回路図であり、図２Ｂは電荷再配分時の等価回路図であり、図２Ｃはドット反転後の等価回路図であり、図２Ｄは中間調表示を行った場合の端部の表示例である。
【図３】比較例の液晶表示装置の等価回路図である。
【図４】図４Ａは比較例の液晶表示装置のドット反転前の等価回路図であり、図４Ｂは電荷再配分時の等価回路図であり、図４Ｃはドット反転後の等価回路図であり、図４Ｄは中間調表示を行った場合の端部の表示例である。る。
【図５】第２実施形態の液晶表示装置の等価回路図である。
【図６】図６Ａは第２実施形態の液晶表示装置のドット反転前の等価回路図であり、図６Ｂは電荷再配分時の等価回路図であり、図６Ｃはドット反転後の等価回路図である。
【図７】アクティブマトリクス型液晶表示装置の等価回路図である。
【図８】液晶表示装置の１画素分の等価回路である。
【図９】図９Ａはドット反転前の等価回路図であり、図９Ｂは電荷再配分時の等価回路図であり、図９Ｃはドット反転後の等価回路図である。
【図１０】図１０Ａは電圧再配分がない場合のゲート電極とソース電極との電圧波形を示す図であり、図１０Ｂは電圧再配分がある場合のゲート電極とソース電極との電圧波形を示す図である
【発明を実施するための形態】
【００３６】
以下、実施形態及び比較例によって図面を参照しながら本発明の実施形態を説明するが
、以下に示す実施形態は、本発明をここに記載したものに限定することを意図するもので
はなく、本発明は特許請求の範囲に示した技術的思想を逸脱することなく種々の変更を行
ったものにも均しく適用し得るものである。なお、信号線は、奇数本存在するが、図２、
図４及び図６においては３本に代表させて説明する。
【００３７】
［第１実施形態］
第１実施形態にかかるアクティブマトリクス型の液晶表示装置１０Ａを図１及び図２を
用いて説明する。なお、図１は第１実施形態の液晶表示装置１０Ａの等価回路図である。
また、図２Ａは第１実施形態の液晶表示装置１０Ａのドット反転前の等価回路図であり、
図２Ｂは電荷再配分時の等価回路図であり、図２Ｃはドット反転後の等価回路図であり、
図２Ｄは中間調表示を行った場合の端部の表示例である。
【００３８】
この液晶表示装置１０Ａは、マトリクス状に整列された画素（図１では６画素分のみ示
す）ごとにそれぞれの画素を駆動するためのスイッチング素子としての薄膜トランジスタ
ーＴＦＴを備え、これらの薄膜トランジスターＴＦＴを駆動するための走査線ＧＬ及び信
号線ＤＬを有している。この液晶表示装置１０Ａにおいては、画素列の数、すなわち信号
線ＤＬの数は奇数とされている。また、従来例の場合と同様に、アレイ基板（図示省略）
側には水平駆動回路１１及びゲート制御回路１３が形成されており、水平駆動回路１１は
映像信号Ｖsigをサンプリングして信号線ＤＬに出力し、ゲート制御回路１３は各走査線
ＧＬにゲート信号Ｖgateを供給する。各画素の薄膜トランジスターＴＦＴは、ソース電極
Ｓが対応する信号線ＤＬに接続され、ゲート電極が対応する走査線ＧＬに接続されてゲー
ト信号Ｖgateによって薄膜トランジスターＴＦＴのオン・オフが制御され、更にドレイン
電極が画素電極１４に接続されている。
【００３９】
この液晶表示装置１０Ａにおいては、図２Ａに示すように水平駆動回路５１の信号線Ｄ
Ｌ１〜ＤＬ３はそれぞれ出力バッファー回路１２によって駆動されており、この信号線Ｄ
Ｌ１〜ＤＬ３にはそれぞれ複数の画素駆動用の薄膜トランジスターＴＦＴのソース電極Ｓ
が接続されている。また、一方の側端部の信号線ＤＬ３の更に端部側には、各信号線ＤＬ
１〜ＤＬ３と平行に同一の長さにダミー配線ＤＭが形成されている。ただし、このダミー
配線ＤＭには薄膜トランジスターは形成されておらず、画素電極も存在していない。そし
て、このダミー配線ＤＭは水平駆動回路１１のダミーバッファー回路１２ａのダミー出力
端子Ｄａに接続されている。
【００４０】
ここでは、このダミーバッファー回路１２ａは常に非アクティブ状態とされている。ダ
ミーバッファー回路１２ａは、非アクティブ状態とされている場合にはフローティング状
態となり、不定電位で交流化を繰り返している。また、この液晶表示装置１０Ａにおいて
は、奇数列の信号線ＤＬ１及びＤＬ３はそれぞれ隣接する偶数列の信号線ＤＬ２及びダミ
ー配線ＤＭとスイッチ素子ＳＷ１及びＳＷ２によって短絡されている。このスイッチ素子
ＳＷ１及びＳＷ２は、例えば薄膜トランジスターからなり、同一の制御信号ＬＤによって
同一のタイミングで駆動されるようになっている。
【００４１】
また、従来例の場合と同様に、液晶表示装置１０Ａが横電界方式のＦＦＳモードで作動
するものであれば、画素電極１４に対して電極間絶縁膜（図示省略）を挟んで共通電極１
５が平面視で重畳するように形成されており、液晶表示装置１０Ａが縦電界方式で作動す
るものであれば、アレイ基板に対向して配置されたカラーフィルター基板（図示省略）に
画素電極１４と対向するように共通電極１５が形成されている。なお、この共通電極１５
には共通配線１６を経て共通電位ＶＣＯＭが印加されている。更に、アレイ基板とカラー
フィルター基板との間には液晶が封入されている。このような構成の液晶表示装置１０Ａ
では、画素電極１４及び共通電極１５間に印加される電界によって液晶が駆動される。
【００４２】
図２Ａに示したように、最初の１水平走査期間の終了時には、例えば奇数列の信号線Ｄ
Ｌ１及びＤＬ３にＨレベル（例えば＋１０Ｖ）の信号が印加され、偶数列の信号線ＤＬ２
にはＬレベル（例えば０Ｖ）の信号が印加されている。このとき制御信号ＬＤにはＬレベ
ルの信号が印加されてスイッチ素子ＳＷ１及びＳＷ２共にオフ状態となっている。そのた
め、奇数列の液晶容量ＣＬＣ及び補助容量ＣｓはＨレベルの信号によって充電されており
、偶数列の液晶容量ＣＬＣ及び補助容量ＣｓはＬレベルの信号によって充電されている。
また、ダミー配線ＤＭには、物理的には何も接続されておらずにフローティング状態とさ
れているが、アレイ基板やカラーフィルター基板の他の配線との間に浮遊容量が形成され
ているので、この浮遊容量は上述の不定電位で充電されている。このときの不定電位は、
隣接する奇数列の信号線ＤＬ３に印加される電位による静電誘導により、奇数列の信号線
ＤＬ３に印加されている電位とは基準電位に対して逆極性の電位となる。
【００４３】
次の１水平走査期間に移行すると、図２Ｂに示したように、最初に制御信号ＬＤが一定
時間Ｈレベルに変化し、スイッチ素子ＳＷ１及びＳＷ２共に、１水平走査期間に比して十
分短い時間、オン状態に変化する。そうすると、奇数列の信号線ＤＬ１は隣接する偶数列
の信号線ＤＬ２と短絡することになるので、奇数列の液晶容量ＣＬＣ及び補助容量Ｃｓに
充電されていた電荷と偶数列の液晶容量ＣＬＣ及び補助容量Ｃｓに充電されていた電荷は
互いに中和され、両者共に中間レベル（例えば＋５Ｖ）に変化する。このとき、奇数列の
信号線ＤＬ３は、隣接するダミー配線ＤＭと短絡することになるが、ダミー配線ＤＭの浮
遊容量に充電されていた電荷は奇数列の液晶容量ＣＬＣ及び補助容量Ｃｓに充電されてい
た電荷とは逆極性であるが、ダミー配線ＤＭの浮遊容量の容量値と液晶容量ＣＬＣ及び補
助容量Ｃｓの容量値とは異なるため、ほぼ中間レベルに近い電位（約＋５Ｖ）に変化する
。
【００４４】
その後、図２Ｃに示したように、制御信号ＬＤがＬレベルに変化し、スイッチ素子ＳＷ
１及びＳＷ２共にオフ状態となり、ドット反転が行われて奇数列の信号線ＤＬ１及びＤＬ
３にＬレベルの信号が印加され、偶数列の信号線ＤＬ２にはＨレベルの信号が印加される
。そのため、奇数列の液晶容量ＣＬＣ及び補助容量ＣｓはＬレベルの信号によって充電さ
れていき、偶数列の液晶容量ＣＬＣ、補助容量Ｃｓ及びダミー配線ＤＭの浮遊容量はＨレ
ベルの信号によって充電されていく。
【００４５】
このようにして、第１実施形態の液晶表示装置１０Ａでは、信号線ＤＬが奇数本であっ
ても、ダミー配線ＤＭの浮遊容量に充電される電荷によって電荷再配分が行われるため、
従来例の場合と同様に消費電力の低減効果が生じる。なお、第１実施形態の液晶表示装置
１０Ａでは、端部側の３サブ画素における中間調表示を行った場合の表示例である図２Ｄ
によれば、ダミー配線ＤＭに隣接する端部側の信号線ＤＬ３によって駆動される画素列（
図２における右端側）の輝度は、その他の画素列の場合と実質的に同様となることが確認
できた。
【００４６】
なお、上記実施形態１の液晶表示装置１０Ａでは、ダミー配線ＤＭを各信号線ＤＬ１〜
ＤＬ３と平行に同一の長さに形成した例を示したが、必ずしも同一の長さに形成する必要
はなく、それよりも短くてもそれなりの効果を奏する。しかしながら、ダミー配線ＤＭを
各信号線ＤＬ１〜ＤＬ３と平行に同一の長さに形成すれば、従来の信号線数が偶数の液晶
表示パネルと同様に設計することができるようになるので、製造が容易になる。
【００４７】
また、上記実施形態１の液晶表示装置１０Ａでは、ダミー配線ＤＭはフローティング状
態とされている状態を示したが、水平駆動回路１１からダミー配線ＤＭに常に隣接する信
号線ＤＬ３に印加される映像信号Ｖsigとは反対極性で最大振幅の電圧を印加するように
してもよい。ダミー配線ＤＭに何も信号電圧を印加しなくても、一応の電荷再配分効果を
達成することができるが、ダミー配線に常に隣接する信号線に印加される映像信号とは反
対極性で最大振幅の電圧を印加するようにすれば、他の隣接する信号線同士の電荷再配分
効果とは相違することはあるが、ダミー配線ＤＭに何も信号電圧を印加しない場合よりも
電荷再配分効果を達成でき、端部においても良好な表示画質の電気光学表示装置が得られ
る。
【００４８】
また、水平駆動回路１１からダミー配線ＤＭに常に隣接する信号線ＤＬ３に印加される
映像信号Ｖsigと反対極性で同じ階調の電圧を印加することもできる。ダミー配線ＤＭの
浮遊容量と液晶表示装置１０Ａの各画素の液晶容量ＣＬＣと補助容量Ｃｓとは必ずしも同
一ではないので、他の隣接する信号線同士の電荷再配分効果とは相違することはあるが、
この場合もダミー配線ＤＭに何も信号電圧を印加しない場合よりも電荷再配分効果を達成
でき、端部においても良好な表示画質の電気光学表示装置が得られる。
【００４９】
［比較例］
次に、比較例にかかるアクティブマトリクス型の液晶表示装置２０を図３及び図４を用
いて説明する。なお、図３は比較例の液晶表示装置２０の等価回路図である。また、図４
Ａは比較例の液晶表示装置２０のドット反転前の等価回路図であり、図４Ｂは電荷再配分
時の等価回路図であり、図４Ｃはドット反転後の等価回路図であり、図４Ｄは中間調表示
を行った場合の端部の表示例である。
【００５０】
第１実施形態の液晶表示装置１０Ａではダミー配線ＤＭを形成した例を示したが、比較
例の液晶表示装置２０ではダミー配線を形成しない場合の効果を確認した。この比較例の
液晶表示装置２０は、ダミー配線ＤＭが形成されていない以外は第１実施形態の液晶表示
装置１０Ａと構成に相違はないので、図１及び図２と同様の構成部分には同一の参照符号
を付与してその詳細な説明は省略する。
【００５１】
比較例の液晶表示装置２０においては、ダミー配線が形成されていないため、ダミーバ
ッファー回路１２ａに形成されているダミー出力端子Ｄａによる浮遊容量は非常に小さい
ので、この浮遊容量に充電されている電荷量は無視し得る。図４Ａに示したように、最初
の１水平走査期間の終了時には、例えば奇数列の信号線ＤＬ１及びＤＬ３にＨレベル（例
えば＋１０Ｖ）の信号が印加され、偶数列の信号線ＤＬ２にはＬレベル（例えば０Ｖ）の
信号が印加されている。このとき制御信号ＬＤにはＬレベルの信号が印加されてスイッチ
素子ＳＷ１及びＳＷ２共にオフ状態となっている。そのため、奇数列の液晶容量ＣＬＣ及
び補助容量ＣｓはＨレベルの信号によって充電されており、偶数列の液晶容量ＣＬＣ及び
補助容量ＣｓはＬレベルの信号によって充電されている。また、ダミーバッファー回路１
２ａのダミー出力端子Ｄａの浮遊容量に充電されている電荷量は無視し得る。
【００５２】
次の１水平走査期間に移行すると、図４Ｂに示したように、最初に制御信号ＬＤが一定
時間Ｈレベルに変化し、スイッチ素子ＳＷ１及びＳＷ２共に、１水平走査期間に比して十
分短い時間、オン状態に変化する。そうすると、奇数列の信号線ＤＬ１は隣接する偶数列
の信号線ＤＬ２と短絡することになるので、奇数列の液晶容量ＣＬＣ及び補助容量Ｃｓに
充電されていた電荷と偶数列の液晶容量ＣＬＣ及び補助容量Ｃｓに充電されていた電荷は
互いに中和され、両者共に中間レベル（例えば＋５Ｖ）に変化する。このとき、奇数列の
信号線ＤＬ３は、隣接するダミーバッファー回路１２ａのダミー出力端子Ｄａと短絡する
ことになるが、このダミー出力端子Ｄａの浮遊容量に充電されていた電荷量は極めて少な
いので、実質的に奇数列の液晶容量ＣＬＣ及び補助容量Ｃｓに充電されていた電荷量は変
化せず、ほぼ最初のレベルに近い電位（約＋１０Ｖ）を維持する。
【００５３】
その後、図４Ｃに示したように、制御信号ＬＤがＬレベルに変化し、スイッチ素子ＳＷ
１及びＳＷ２共にオフ状態となり、ドット反転が行われて奇数列の信号線ＤＬ１及びＤＬ
３にＬレベルの信号が印加され、偶数列の信号線ＤＬ２にはＨレベルの信号が印加される
。そのため、奇数列の液晶容量ＣＬＣ及び補助容量ＣｓはＬレベルの信号によって充電さ
れていき、偶数列の液晶容量ＣＬＣ、補助容量Ｃｓ及びダミー配線ＤＭの浮遊容量はＨレ
ベルの信号によって充電されていくが、奇数列の端部の信号線ＤＬ３の電位は、電荷再配
分が行われなかったため、他の信号線の電位とは相違してしまう。その結果、図４Ｄに示
したように、ダミー配線ＤＭに隣接する端部側の信号線ＤＬ３によって駆動される画素列
（図４における右端側）の輝度は、その他の画素列の場合とは異なってしまうことがある
。
【００５４】
［第２実施形態］
第１実施形態の液晶表示装置１０Ａではダミー配線ＤＭを各信号線ＤＬ１〜ＤＬ３と平
行に同一の長さに形成した例を示したが、ダミー配線ＤＭに積極的にダミー容量を形成し
てダミー配線ＤＭの長さを短くすることもできる。この第２実施形態の液晶表示装置１０
Ｂを図５及び図６を用いて説明する。なお、図５は第２実施形態の液晶表示装置１０Ｂの
等価回路図である。また、図６Ａは２実施形態の液晶表示装置１０Ｂのドット反転前の等
価回路図であり、図６Ｂは電荷再配分時の等価回路図であり、図６Ｃはドット反転後の等
価回路図である。
【００５５】
ダミー配線ＤＭに積極的にダミー容量Ｃｄを形成する場合、ダミー容量Ｃｄを形成する
ための対向する電極部分としては、信号線以外の配線を利用することができる。しかしな
がら、極性が反転されている信号線に印加されている信号の基準電圧は共通配線１６に印
加されている共通電位ＶＣＯＭであるから、ここでは共通配線１６に対して絶縁膜を介し
てダミー容量形成電極１７を設けることにより、ダミー容量Ｃｄを形成した。なお、この
絶縁膜としては、液晶表示装置の製造時のゲート絶縁膜やパッシベーション膜（何れも図
示省略）を用いることができる。
【００５６】
図６Ａに示したように、最初の１水平走査期間の終了時には、例えば奇数列の信号線Ｄ
Ｌ１及びＤＬ３にＨレベル（例えば＋１０Ｖ）の信号が印加され、偶数列の信号線ＤＬ２
にはＬレベル（例えば０Ｖ）の信号が印加されている。このとき制御信号ＬＤにはＬレベ
ルの信号が印加されてスイッチ素子ＳＷ１及びＳＷ２共にオフ状態となっている。そのた
め、奇数列の液晶容量ＣＬＣ及び補助容量ＣｓはＨレベルの信号によって充電されており
、偶数列の液晶容量ＣＬＣ及び補助容量ＣｓはＬレベルの信号によって充電されている。
また、ダミー配線ＤＭには、物理的には何も接続されておらずにフローティング状態とさ
れているが、ダミー容量Ｃｄが共通電位ＶＣＯＭとなっている共通配線１６との間に形成
されているので、静電誘導によって隣接する信号線ＤＬ３の電圧と基準電圧に対して逆極
性で実質的に同じ電圧（例えば０Ｖ）が生じるようになる。
【００５７】
次の１水平走査期間に移行すると、図６Ｂに示したように、最初に制御信号ＬＤが一定
時間Ｈレベルに変化し、スイッチ素子ＳＷ１及びＳＷ２共に、１水平走査期間に比して十
分短い時間、オン状態に変化する。そうすると、奇数列の信号線ＤＬ１は隣接する偶数列
の信号線ＤＬ２と短絡することになるので、奇数列の液晶容量ＣＬＣ及び補助容量Ｃｓに
充電されていた電荷と偶数列の液晶容量ＣＬＣ及び補助容量Ｃｓに充電されていた電荷は
互いに中和され、両者共に中間レベル（例えば＋５Ｖ）に変化する。このとき、奇数列の
信号線ＤＬ３は、隣接するダミー配線ＤＭと短絡することになるが、ダミー配線ＤＭの浮
遊容量に充電されていた電荷は奇数列の液晶容量ＣＬＣ及び補助容量Ｃｓに充電されてい
た電荷とは逆極性であるため、ほぼ中間レベルに近い電位（約＋５Ｖ）に変化する。
【００５８】
その後、図２Ｃに示したように、制御信号ＬＤがＬレベルに変化し、スイッチ素子ＳＷ
１及びＳＷ２共にオフ状態となり、ドット反転が行われて奇数列の信号線ＤＬ１及びＤＬ
３にＬレベルの信号が印加され、偶数列の信号線ＤＬ２にはＨレベルの信号が印加される
。そのため、奇数列の液晶容量ＣＬＣ及び補助容量ＣｓはＬレベルの信号によって充電さ
れていき、偶数列の液晶容量ＣＬＣ、補助容量Ｃｓ及びダミー配線ＤＭの浮遊容量はＨレ
ベルの信号によって充電されていく。
【００５９】
このようにして、第２実施形態の液晶表示装置１０Ｂでは、信号線ＤＬが奇数本であっ
ても、ダミー配線ＤＭのダミー容量Ｃｄに充電される電荷によって電荷再配分が行われる
ため、従来例の場合と同様に消費電力の低減効果が得られると共に、ダミー配線ＤＭに隣
接する端部側の信号線ＤＬ３によって駆動される画素列の輝度は、その他の画素列の場合
と実質的に同様となるようにすることができる。更に、第二実施形態の液晶表示装置にお
いても、ダミー配線ＤＭに、水平駆動回路１１からダミー配線ＤＭに常に隣接する信号線
ＤＬ３に印加される映像信号Ｖsigとは反対極性で最大振幅の電圧ないし同じ階調の電圧
を印加するようにしてもよい。
【符号の説明】
【００６０】
１０Ａ、１０Ｂ、２０、５０、５０Ａ…液晶表示装置  １１…水平駆動回路  １２…出
力バッファー回路  １２ａ…ダミーバッファー回路  １３…ゲート制御回路  １４…画素
電極  １５…共通電極  １６…共通配線  １７…ダミー容量形成電極  ５１…水平駆動回
路  ５２…出力バッファー回路  ５３…ゲート制御回路  ５４…画素電極  ５５…共通電
極  ５６…共通配線  Ｃｄ…ダミー容量  Ｃｇｄ、Ｃｓｄ…寄生容量  ＣＬＣ…液晶容量
Ｃｓ…補助容量  Ｄａ…ダミー出力端子  ＤＬ、ＤＬ１〜ＤＬ４…信号線  ＤＭ…ダミ
ー配線  ＧＬ…走査線  ＬＤ…制御信号  ＳＷ１、ＳＷ２…スイッチ素子  ＴＦＴ…薄膜
トランジスター  ＶＣＯＭ…共通電位  Ｖgate…ゲート信号  Ｖsig…映像信号
【図１】
2011118196.tif 000003
【図２】
2011118196.tif 000004
【図３】
2011118196.tif 000005
【図４】
2011118196.tif 000006
【図５】
2011118196.tif 000007
【図６】
2011118196.tif 000008
【図７】
2011118196.tif 000009
【図８】
2011118196.tif 000010
【図９】
2011118196.tif 000011
【図１０】
2011118196.tif 000012